(57)【要約】      （修正有）【課題】使用者がパネル上に表示されているアイコンを指またはタッチペンで選ぶことにより、個人用携帯情報端末、電子製品およびゲーム機器に所望の機能を実行させることができる表示装置およびそのタッチパネルを提供する。【解決手段】表示パネルと、タッチパネルとを備えている表示装置である。前記表示パネルは表示領域を含んでいる。前記タッチパネルは、前記表示パネルに指向している内側面３３Ｂおよび外側面３３Ａを有する透明基板３１と、内側面３３Ｂの感知領域３５に配設されている複数の感知素子と、内側面３３Ｂの外周領域４７に配設されているデコレーション層４５と、感知領域３５から外周領域４７にまで延出しているリード線４１と、リード線４１とデコレーション層４５との間に介在されている中間層４３とを備えている。【選択図】図４
0003171645.tif 000002
【実用新案登録請求の範囲】
【請求項１】
内側面および外側面を有する透明基板と、
前記内側面の感知領域に配設されている複数の感知素子と、
前記内側面の外周領域に配設されているデコレーション層と、
前記感知領域から前記外周領域にまで延出しているリード線と、
前記リード線と前記デコレーション層との間に介在されている中間層と、
を備えたタッチパネル。
【請求項２】
前記デコレーション層が環状をなし、前記透明基板の外縁に配設されている請求項１に記載のタッチパネル。
【請求項３】
前記中間層が前記デコレーション層を被覆するとともに、前記感知領域の外縁を部分的に被覆する請求項１に記載のタッチパネル。
【請求項４】
前記デコレーション層がインク材料を含む請求項１に記載のタッチパネル。
【請求項５】
前記デコレーション層が遮光材料を含む請求項１に記載のタッチパネル。
【請求項６】
前記中間層が絶縁層である請求項１に記載のタッチパネル。
【請求項７】
前記中間層がアクリル樹脂を含む請求項１に記載のタッチパネル。
【請求項８】
表示領域を含む表示パネルと、
前記表示パネルに指向している内側面および外側面を有する透明基板と、
前記内側面の感知領域に配設されている複数の感知素子と、
前記内側面の外周領域に配設されているデコレーション層と、
前記感知領域から前記外周領域にまで延出しているリード線と、
前記リード線と前記デコレーション層との間に介在されている中間層と、
を備えた表示装置。
【請求項９】
前記デコレーション層が前記表示領域を囲んでいる請求項８に記載の表示装置。
【請求項１０】
前記デコレーション層が環状をなし、前記透明基板の外縁に配設されている請求項８に記載の表示装置。
【請求項１１】
前記中間層が前記デコレーション層を被覆するとともに、前記感知領域の外縁を部分的に被覆する請求項８に記載の表示装置。
【請求項１２】
前記デコレーション層がインク材料を含む請求項８に記載の表示装置。
【請求項１３】
前記デコレーション層が遮光材料を含む請求項８に記載の表示装置。
【請求項１４】
前記中間層が絶縁層である請求項８に記載の表示装置。
【請求項１５】
前記中間層がアクリル樹脂を含む請求項８に記載の表示装置。
【考案の詳細な説明】
【技術分野】
【０００１】
本考案は、表示装置およびそのタッチパネルに関するものであり、特に１枚ガラス式タッチパネルおよびその表示装置に関するものである。
【背景技術】
【０００２】
タッチパネルは表示装置の中に組み込まれて、家庭用品、通信機器および電子情報装置などの分野に広く応用されている。通常、タッチパネルは、個人用携帯情報端末（ＰＤＡ）、電子製品およびゲーム機器などの入力インターフェイスとして応用される。現在、タッチパネルと表示装置とを組み合わせるという趨勢において、使用者がパネル上に表示されているアイコンを指またはタッチペンで選ぶことにより、個人用携帯情報端末、電子製品およびゲーム機器に所望の機能を実行させることができるようになっている。このようなタッチパネルは公共の場の情報検索システムにも応用され、公衆に効率的な操作システムを提供することができる。
【考案の概要】
【課題を解決するための手段】
【０００３】
本考案の実施例では、内側面および外側面を有する透明基板と、前記内側面の感知領域に配設されている複数の感知素子と、前記内側面の外周領域に配設されているデコレーション層と、前記感知領域から前記外周領域にまで延出しているリード線と、前記リード線と前記デコレーション層との間に介在されている中間層と、を備えたタッチパネルを提供する。
【０００４】
本考案の他の実施例では、表示領域を含む表示パネルと、前記表示パネルに指向している内側面および外側面を有する透明基板と、前記内側面の感知領域に配設されている複数の感知素子と、前記内側面の外周領域に配設されているデコレーション層と、前記感知領域から前記外周領域にまで延出しているリード線と、前記リード線と前記デコレーション層との間に介在されている中間層と、を備えた表示装置を提供する。
【０００５】
上記において、本考案の技術的特徴および長所がすでにかなり広汎に概略的に記述されることで、下記する本考案の詳細な説明はより良く理解され得る。本考案の実用新案登録請求の標的を構成するその他の技術的特徴および長所は下記に記述する。本考案の技術分野における当業者であれば、下記に開示する技術的思想および特定の実施例を利用して、その他構造または製造工程を修正または設計することで、本考案と同じ目的は容易に実現できることを理解するはずである。本考案の技術分野における当業者はまた、これら等価の構造は別紙の特許請求の範囲にて限定する本考案の技術的思想および範囲から離れることはできないことも理解するはずである。
【図面の簡単な説明】
【０００６】
【図１】本考案の一実施例における表示装置を示す図。
【図２】本考案の一実施例における表示パネルを示す図。
【図３】本考案の一実施例におけるタッチパネルの平面図。
【図４】本考案の一実施例にて図３の１−１断面線での断面図。
【図５】本考案の一実施例にて図３の２−２断面線での断面図。
【考案を実施するための形態】
【０００７】
図１には本考案の一実施例における表示装置１０を示している。本考案の一実施例において、前記表示装置１０は表示パネル２０と、タッチパネル３０とを備えており、このうち前記表示装置１０は、図２に示すように表示領域２１と複数のリード線２３とを備えている。
【０００８】
図３には本考案の一実施例におけるタッチパネル３０の平面図を示しており、図４には本考案の一実施例にて図３の１−１断面線での断面図を示している。本考案の一実施例において、前記タッチパネル３０は、前記表示パネル２０に指向している内側面３３Ｂおよび外側面３３Ａを有する透明基板３１と、前記内側面３３Ｂの感知領域３５に配設されている複数の感知素子３７、３９と、前記内側面３３Ｂの外周領域４７に配設されているデコレーション層４５と、少なくとも一部が前記デコレーション層４５と前記感知領域３５との境目を被覆している中間層４３と、前記感知領域３５から外周領域４７にまで延出しているリード線４１とを備えており、前記中間層４３は前記リード線４１と前記デコレーション層４５との間に介在されている。 
本考案の一実施例において、前記デコレーション層４５は環状をなし、前記透明基板３１の外縁に配設されている。前記タッチパネル３０が前記表示パネル２０に組み付けられたとき、前記デコレーション層４５は前記表示領域２１を囲むようになる。本考案の一実施例において、前記中間層４３は前記感知領域３５の外縁を部分的に被覆するとともに、デコレーション層４５を完全に被覆することにより、前記タッチパネル３０が前記表示パネル２０に組み付けられるときに、前記中間層４３は、組み付け工程において前記デコレーション層４５が傷つくことで、前記タッチパネル３０の縁部で光が透過するのを防止することができる。
【０００９】
本考案の一実施例において、前記デコレーション層４５は例えば黒色の遮光材であり、その含有するカーボンブラック材料が導電性を備えている遮光材料を含んでいる。前記デコレーション層４５のカーボンブラック材料が備える導電性は前記リード線４１上で伝送される信号に影響を及ぼすことから、前記中間層４３を、樹脂（例えばアクリル樹脂）を含む絶縁層とすることで、前記デコレーション層４５の電気を隔絶して、前記デコレーション層４５によるタッチパネル３０に対しての電気的干渉を低減することができる。
【００１０】
図５には一実施例にて図３の２−２断面線での断面図を示している。本考案の一実施例において、前記デコレーション層４５、前記デコレーション層４５と前記感知領域３５との境目箇所に非平坦層の外貌を形成しやすいインク材料を含んでいるが、前記中間層４３は前記デコレーション層４５の非平坦層の外貌を平坦な外貌に均すことができることにより、前記リード線４１は前記中間層４３上に容易に形成することができ、そして断線して、短絡するのを防止することができる。
【００１１】
本考案の技術内容および技術的特徴は上記したとおりであるが、本考案の技術分野における当業者であれば、別紙の実用新案登録請求の範囲で限定する本考案の技術的思想および範囲から離れることなく、本考案の教示および開示に各種の置換および付加を行うことができるということは理解するはずである。例えば、上記開示した数多くの製造工程は異なる方法で実施するか、その他製造方法に置換するか、または上記二種類の組合せを採用することができるものである。
【００１２】
また、本願の権利範囲は上記開示した特定の実施例の製造工程、設備、製造、物質の成分、装置、方法または手順に限定されるものではない。本考案の技術分野の当業者であれば、本考案で教示および開示する製造工程、設備、製造、物質の成分、装置、方法または手順に基づき、現時点で存在するもの、または後日開発されるものに関わらず、それが本願の実施例に開示するものと実質的に同一の方式で実質的に同一の効果が実現され、そして実質的に同一の結果が達成されるものも、本考案に使用できるものであることを理解するはずである。したがって、別紙の特許請求の範囲はこの類の製造工程、設備、製造、物質の成分、装置、方法または手順を含むよう用いられる。
【符号の説明】
【００１３】
１０  表示装置
２０  表示パネル
２１  表示領域
２３，４１  リード線
３０  タッチパネル
３１  透明基板
３３Ａ  外側面
３３Ｂ  内側面
３５  感知領域
３７，３９  感知素子
４３  中間層
４５  デコレーション層
４７  外周領域
【図１】
0003171645.tif 000003
【図２】
0003171645.tif 000004
【図３】
0003171645.tif 000005
【図４】
0003171645.tif 000006
【図５】
0003171645.tif 000007